(57)【特許請求の範囲】
【請求項１】
壁部に設けた換気口に挿入され屋外に空気を吹き出す吹出部と、室内の空気を吸い込む吸込部と、前記壁部の換気口に沿うように延設した本体枠と、前記吸込部から吹出部に空気を搬送するファンモーター部と、前記室内側を明るくする照明部と人の感知を行なう人感センサ部と、前記照明部と前記人感センサ部の制御を行なう制御部を有し、前記人感センサ部を、前記吸込部の下方の前記照明部から遠く離れたところに設け、前記照明部を前記本体枠の中央部へ傾倒するように取付けることを特徴とする換気装置。
【請求項２】
照明部および制御部およびファンモーター部を、本体枠内の一方から順に配置したことを特徴とする請求項１記載の換気装置。
【請求項３】
人感センサ部が、ファンモーター部の室内の空気を吸込む吸込穴の外方へ設けたことを特徴とする請求項１または２に記載の換気装置。
【請求項４】
人感センサ部を、斜め下方に設けたことを特徴とする請求項１〜３のいずれかに記載の換気装置。
【発明の詳細な説明】
【技術分野】
【０００１】
本発明は、室内の照明と換気機能とを併用する換気装置に関するものである。
【背景技術】
【０００２】
従来、この種の換気装置はトイレで使用され、トイレ内の照明および換気扇が電源の消し忘れにより必要以上に動作していることがあり、それを解決するために、その照明や換気扇を人がトイレに入退出する時に入／切の制御ができる換気装置が知られている（例えば、特許文献１参照）。
【０００３】
以下、その換気装置について図３を参照しながら説明する。
【０００４】
本換気装置は本体１０１と本体カバー１０２により形成され、本体１０１に、トイレ内の換気をファンモーター１０３とトイレ内の照明を行う照明器１０４およびファンモーター１０３と照明器１０４を自動で動作させる制御回路１０５を設け、制御回路１０５には、入室者の有無を検知する人感センサ１０６とから構成されている。
【０００５】
ここで、トイレに人が入室したとき、人感センサ１０６がその動きを検知し、制御回路１０５にて、ファンモーター１０３および照明器１０４の入／切の動作を制御するものが知られている。
【先行技術文献】
【特許文献】
【０００６】
【特許文献１】特許第３３６１２４２号公報
【発明の概要】
【発明が解決しようとする課題】
【０００７】
このような従来の室内の照明と換気機能とを併用する換気装置においては、人感センサ１０６が照明器１０４の近傍に配置されていることから、照明運転および換気運転時ファンモーター１０３の動作により、照明器１０４付近の熱で暖められた室内空気が人感センサ１０６を通ることから、誤動作が発生するという課題を有していた。
【０００８】
そこで本発明は、上記従来の課題を解決するものであり、照明運転および換気運転の時、人感センサの誤動作の発生を防ぐことができる換気装置を提供することを目的とする。
【課題を解決するための手段】
【０００９】
そして、この目的を達成するために、本発明は、人感センサを、吸込部の下方の照明部から遠く離れたところに設けたとしたものであり、これにより所期の目的を達成するものである。
【発明の効果】
【００１０】
本発明によれば、人感センサを、室内空気の吸込部下方の照明部から遠く離れたところに設けるという構成にしたことにより、照明部付近で暖められた室内空気は人感センサに接触することなく吸込部に吸込まれ吹出部から屋外へ排出するとなるので、換気の運転時、人感センサの誤動作の発生を防ぐことができるという効果を得ることができる。
【図面の簡単な説明】
【００１１】
【図１】本発明の実施の形態１の換気装置の上側断面図
【図２】同換気装置の斜視図
【図３】従来の換気装置の分解斜視図
【発明を実施するための形態】
【００１２】
本発明の換気装置は、壁部に設けた換気口に挿入され屋外に空気を吹き出す吹出部と、室内の空気を吸い込む吸込部と、前記壁部の換気口に沿うように延設した本体枠と、前記吸込部から吹出部に空気を搬送するファンモーター部と、前記室内側を明るくする照明部と人の感知を行なう人感センサ部と、前記照明部と前記人感センサ部の制御を行なう制御部を有し、前記人感センサ部を、前記吸込部の下方の前記照明部から遠く離れたところに設けたという構成を有する。これにより、照明部付近で暖められた室内空気は人感センサ部に接触することなく吸込部に吸込まれ吹出部から屋外へ排出するとなるので、換気の運転時、人感センサの誤動作の発生を防ぐことができるという効果を奏する。
【００１３】
また、照明部および制御部およびファンモーター部を、本体枠内の一方から順に配置したという構成にしてもよい。これにより、室内の空気は、照明手段部で暖められ制御部を通過し、人感センサ部に接触せず吸込部に吸込まれ吹出部から屋外へ排出するとなるので、換気の運転時、人感センサの誤動作の発生をより防ぐことができるという効果を奏する。
【００１４】
また、人感センサ部が、ファンモーター部の室内の空気を吸込む吸込穴の外方へ設けたという構成にしてもよい。これにより、室内の空気は、照明手段部で暖められ制御部を通過し、吸込穴の外方に設けた人感センサ部に接触せず吸込部に吸込まれ吹出部から屋外へ排出するとなるので、換気の運転時、人感センサを設けることによる圧力損失を防ぎつつ、人感センサの誤動作の発生を防ぐことができるという効果を奏する。
【００１５】
また、人感センサ部を、斜め下方に設けたという構成にしてもよい。これにより、人がいる下方に人感センサが検知するとなるので、換気の運転時、人感センサの人を検知する性能を向上させつつ、人感センサの誤動作の発生を防ぐことができるという効果を奏する。
【００１６】
以下、本発明の実施の形態について図面を参照しながら説明する。
【００１７】
（実施の形態１）
本発明の実施の形態１の照明と換気機能とを併用する換気装置は、図１および図２に示すように、トイレ空間１の壁部２に設置され、室内側のトイレ空間１と室外３を貫通する換気口４の室内側に沿うように延設した本体部５と、前記換気口４に挿入されるように本体部５から壁部方向に突出した突部６は外周をつなぐように形成し、吹出部７を構成する。さらにこの吹出部７の開閉を自在とし、室内側のトイレ空間１と室外３の空気の流入出を制御するシャッター８が構成される。
【００１８】
次に室内側直近で壁部２から向かって右側にはファンモーター９と、ファンモーター９の風路を形成し、意匠目的の外観を形成することを目的としてたパネル１０がファンモーター９の室内側に覆い被せるように設置され、そのファンモーター９の室内側直近にはパネル１０の空気が流入出できるパネル吸込部１１が形成され、さらに前記パネル吸込部１１と係合、着脱自在なエアフィルター１２が設置されている。
【００１９】
また、このパネル１０に、壁部２に対向して右下方向つまりファンモーター９の下方で、かつ、パネル吸込部１１の右下側に人感センサ１３が配置される。
【００２０】
また、壁部２に向かって左側にはトイレ空間１を照射する照明部１４が設置され、この照明部１４は、本体部５の中央部へ傾倒するように取付けられている。
【００２１】
次に、本体部５の中央付近、つまりファンモーター９と照明部１４との間には、前記ファンモーター９と、前記人感センサ１３と、前記照明部１４の制御を行なう制御部１５を構成している。
【００２２】
さらに、パネル１０の上部には上部吸込部１６そして下部には下部吸込部１７を、そしてこのパネル１０と照明部１４の室内側を覆い被さるように、照明部１４の光を調和するため乳白色で成形されたシェード１８が照明部１４の先端部より５ｍｍ程度の空間を開けて取付けられる。
【００２３】
また、このシェード１８の本体部５への固定は、パネル１０の両側部にシェード固定用穴１９が設けられ、シェードの固定用穴（図示なし）と共にシェード固定ピン２０でパネル１０とシェード１８が貫通固定される。その結果シェード固定ピン２０を回転軸としてシェード１８が上下に回動することが可能となるため、メンテナンス時、サービス時においてエアフィルター１２の清掃、照明部１４の交換、制御部１５の修復などが容易にできる。
【００２４】
このような構成にすることにより、一連の動作パターンにおいては、トイレ空間１に人が入室した場合、人感センサ１３が反応し、制御部１５に信号を送る。信号を受け取った制御部１５は、照明部１４ならびにファンモーター９に動作命令を行い、トイレ空間１の入室と同時に自動で換気、照明の運転を行うことができる。換気運転ではトイレ空間１の臭気を含んだ空気はファンモーター９の空気搬送能力により、パネル１０とシェード１８の上下部の上部吸込部１６および下部吸込部１７からエアフィルター１２を通して、吹出部７を通して室外３に放出される。照明運転では照明部１４が本体部５の中央部、すなわち、照明部１４の本体４への取り付けを側面側に、そして、光を照射する側をファンモーター９側かつシェード１８側へ傾倒するように取付けられていることから、照明部１４の側部も光ることになり、壁部２から向かって左側に設置されていても照明が左側に偏りなく照射を行なうことができる。
【００２５】
ここで、照明部１４付近は照明部１４の発熱により空気温度が上昇しており、この空気が人感センサ１３の上部を流れることにより人の入室と誤検知する場合があるが、上記構成においては、空気の流れ２１のように、照明部１４で暖められた空気はファンモーター９の空気搬送により制御部１５を通り、パネル吸込部１１に吸い込まれ、吹出部７から室外３に排出される。ここで人感センサ１３は空気の流れ２１とは隔離した場所に配置していることから、換気、照明運転時に誤検知を行うことなく正常に動作することを可能としている。
【００２６】
また、上記構成において壁部２に向かって左から照明部１４、制御部１５、ファンモーター９と配置することにより、照明および換気運転時には、暖められた空気は人感センサ１３に接触することがないため、人感センサの誤動作の発生を防ぐことができる。更には、その配置ゆえに、図２に示すように下部吸込部１７の開口の妨げにもならないため、人感センサを設けることによる圧力損失を極力防ぎつつ、人感センサの誤動作の発生を防ぐことができる。
【００２７】
また、人感センサ１３の設置を図２に示すように、検知方向を斜め下方に配置することにより、本換気装置の設置場所はトイレ空間１の高所部に取付けられることがほとんどであるため、人感センサ１３が人を検知する性能が大幅に向上できる。
【産業上の利用可能性】
【００２８】
本発明にかかる換気装置は、人感センサ部を、照明部から遠く離れたところに設けるという構成にしたことにより、換気の運転時人感センサの誤動作の発生を防ぐことを可能とするものであるので、トイレに使用される室内の照明と換気機能とを併用する換気装置等として有用である。
【符号の説明】
【００２９】
２    壁部
３    室外
４    換気口
５    本体部
７    吹出部
９    ファンモーター
１１  パネル吸込部
１３  人感センサ
１４  照明部
１５  制御部
１６  上部吸込部
１７  下部吸込部
【図１】
0005786119.tif 000002
【図２】
0005786119.tif 000003
【図３】
0005786119.tif 000004